(57)【特許請求の範囲】
【請求項１】
受信した印刷データから描画イメージを生成し、該描画イメージを印刷実行手段に出力して該描画イメージの印刷を実行する印刷制御装置において、
前記受信した印刷データを蓄積する印刷データ蓄積手段と、
前記印刷データ蓄積手段に蓄積された印刷データを管理する印刷データ管理手段と、
前記印刷データ蓄積手段によって蓄積された印刷データから描画イメージを生成する複数の描画イメージ生成手段と、
前記印刷データ蓄積手段で蓄積された印刷データを前記描画イメージ生成手段に出力する印刷データ出力手段と、
前記複数の描画イメージ生成手段のうちで実行可能な描画イメージ生成手段を前記印刷データ出力手段に通知する通知手段と、
前記描画イメージ生成手段で生成された描画イメージを蓄積する描画イメージ蓄積手段と、
前記描画イメージ蓄積手段に蓄積された描画イメージを前記印刷実行手段に出力する描画イメージ出力手段と
を具備し、
前記印刷データ出力手段は、
前記通知手段の出力に基づき前記印刷データ管理手段の管理情報を参照して前記印刷データ蓄積手段に蓄積された印刷データの中から前記通知手段で通知された描画イメージ生成手段に出力する印刷データを特定して、該特定した印刷データを該描画イメージ生成手段に出力する
ことを特徴とする印刷制御装置。
【請求項２】
前記印刷実行手段によって印刷された用紙を排出する複数の用紙排出手段
をさらに具備し、
前記印刷データ出力手段は、
前記印刷データ蓄積手段に蓄積された印刷データに含まれる用紙排出先から該印刷データに基づく印刷が実行された用紙の用紙排出先を特定する用紙排出先特定手段
を具備し、
前記用紙排出先特定手段によって特定された用紙排出先が同じ印刷データを同一の描画イメージ生成手段に対して出力する
ことを特徴とする請求項１記載の印刷制御装置。
【発明の詳細な説明】
【０００１】
【発明の属する技術分野】
本発明は、印刷制御装置に関し、特に、複数プロセッサによる描画処理の効率化を図った印刷制御装置に関する。
【０００２】
【従来の技術】
印刷処理を高速に実行するため、描画イメージの生成を複数のプロセッサに実行させ、当該各プロセッサによって生成された描画イメージをプリンタ等のイメージアウトプットターミナルに出力する技術が従来から知られている。
【０００３】
例えば、特開平１−２６３０５１号公報には、用紙１ページ分の印刷データを図形描画部分と文字描画部分に分割し、それぞれ専用のプロセッサで図形イメージと文字イメージを生成し、これらを合成して用紙１ページ分の描画イメージを生成する技術が開示されている。
【０００４】
また、特開平２−１０８５６７号公報には、上記特開平１−２６３０５１号公報に開示された技術に加え、描画イメージを受信したときは、当該描画イメージを直接合成する技術が開示されている。
【０００５】
また、特開平１−２６３０５５号公報には、印刷データを蓄積するメモリを複数の領域に分割し、当該分割した各領域に属する印刷データを専用のプロセッサで処理する技術が開示されている。
【０００６】
また、特開平５−２０１０７７号公報には、複数の印刷データに対して描画属性パラメータの設定を行い、当該設定が終了した印刷データから順次複数プロセッサで処理してゆく技術が開示されている。
【０００７】
【発明が解決しようとする課題】
しかし、特開平１−２６３０５１号公報に開示された技術では、図形専用のプロセッサは図形のみしか処理できず、また、文字専用のプロセッサは文字のみしか処理できないため、印刷データが図形のみまたは文字のみから構成される場合には、いずれか一方のプロセッサが有効に使用されず、処理効率の向上が図られないこととなる。この問題点は、特開平２−１０８５６７号公報に開示された技術においても同様に発生する。
【０００８】
また、特開平１−２６３０５５号公報に開示された技術では、各領域間で処理速度に差がでる場合もあるため、他のプロセッサよりも速く処理が終了したプロセッサは、未使用状態となるため、無駄が生じていることになる。
【０００９】
また、特開平５−２０１０７７号公報に開示された技術では、複数ページ分の印刷データが一括して送信される場合であれば効果的であるが、印刷データがページずつ非同期に送信されてくる場合には、複数設けられたプロセッサが有効に機能しないことになる。さらに、当該技術では、２ページ目の処理が１ページ目の処理よりも速く終わった場合には、当該２ページ目の印刷が先に実行されるため、印刷順序に狂いが生じるという問題もある。
【００１０】
そこで、本発明は、複数プロセッサによる描画処理の効率化を図った印刷制御装置を提供することを目的とする。
【００１１】
【課題を解決するための手段】
上記目的を達成するため、請求項１の発明は、受信した印刷データから描画イメージを生成し、該描画イメージを印刷実行手段に出力して該描画イメージの印刷を実行する印刷制御装置において、前記受信した印刷データを蓄積する印刷データ蓄積手段と、前記印刷データ蓄積手段に蓄積された印刷データを管理する印刷データ管理手段と、前記印刷データ蓄積手段によって蓄積された印刷データから描画イメージを生成する複数の描画イメージ生成手段と、前記印刷データ蓄積手段で蓄積された印刷データを前記描画イメージ生成手段に出力する印刷データ出力手段と、前記複数の描画イメージ生成手段のうちで実行可能な描画イメージ生成手段を前記印刷データ出力手段に通知する通知手段と、前記描画イメージ生成手段で生成された描画イメージを蓄積する描画イメージ蓄積手段と、前記描画イメージ蓄積手段に蓄積された描画イメージを前記印刷実行手段に出力する描画イメージ出力手段とを具備し、前記印刷データ出力手段は、前記通知手段の出力に基づき前記印刷データ管理手段の管理情報を参照して前記印刷データ蓄積手段に蓄積された印刷データの中から前記通知手段で通知された描画イメージ生成手段に出力する印刷データを特定して、該特定した印刷データを該描画イメージ生成手段に出力することを特徴とする。
【００１２】
また、請求項２の発明は、請求項１の発明において、前記印刷実行手段によって印刷された用紙を排出する複数の用紙排出手段をさらに具備し、前記印刷データ出力手段は、前記印刷データ蓄積手段に蓄積された印刷データに含まれる用紙排出先から該印刷データに基づく印刷が実行された用紙の用紙排出先を特定する用紙排出先特定手段を具備し、前記用紙排出先特定手段によって特定された用紙排出先が同じ印刷データを同一の描画イメージ生成手段に対して出力することを特徴とする。
【００１３】
【発明の実施の形態】
以下、本発明に係る印刷制御装置の一実施の形態を添付図面を参照して詳細に説明する。
【００１４】
まず、図１を使用して本発明の概要を説明する。図１は、本発明の第１の実施形態に係る印刷制御装置の構成を示すブロック図である。
【００１５】
本発明は、同図に示すように、複数の外部装置１００から送られてくる印刷データを印刷データ蓄積部１０に蓄積し、描画イメージ生成部Ａ１３、描画イメージ生成部Ｂ１４および描画イメージ生成部Ｃ１５の処理状態を示す実行可能通知に従って、前記蓄積されたデータを実行可能な描画イメージ生成手段に出力し処理させることにより、前述した課題を解決するものである。
【００１６】
以下、本発明の内容をさらに詳細に説明する。
【００１７】
図１に示す第１の実施形態に係る印刷制御装置１は、図中の点線で囲まれたブロックで構成され、印刷データを生成する複数の外部装置１００および描画イメージを用紙に印刷する印刷実行部１０１に接続される。
【００１８】
この第１の実施形態に係る印刷制御装置１は、外部装置１００から印刷データを受信して蓄積する印刷データ蓄積部１０と、この印刷データ蓄積部１０に蓄積された印刷データから描画イメージを生成する描画イメージ生成部Ａ１３、描画イメージ生成部Ｂ１４および描画イメージ生成部Ｃ１５と、印刷データ蓄積部１０に蓄積された印刷データを描画イメージ生成部Ａ１３、描画イメージ生成部Ｂ１４および描画イメージ生成部Ｃ１５のいずれかに出力する印刷データ出力部１１と、描画イメージ生成部Ａ１３、描画イメージ生成部Ｂ１４および描画イメージ生成部Ｃ１５のいずれかで生成された描画イメージを蓄積する描画イメージ蓄積部１６と、この描画イメージ蓄積部１６に蓄積された描画イメージを印刷実行部１０１に出力する描画イメージ出力部１７から構成される。
【００１９】
ここで、描画イメージ生成部Ａ１３、描画イメージ生成部Ｂ１４および描画イメージ生成部Ｃ１５と印刷データ出力部１１との間には、印刷データを伝送するデータ線に加えて、当該各描画イメージ生成部の処理状態を示す実行可能通知を伝送する制御線が設けられる。
【００２０】
また、印刷データ蓄積部１０には、印刷データを格納するとともに当該印刷データの出力を管理する印刷データ管理テーブルＴ１が設けられ、描画イメージ蓄積部１６には、描画イメージ生成部で生成された描画イメージを格納するとともに、当該描画イメージの出力を管理する描画イメージ管理テーブルＴ２が設けられる。
【００２１】
印刷データ出力部１１および描画イメージ出力部１７は、それぞれ上記印刷データ管理テーブルＴ１および描画イメージ管理テーブルＴ２にアクセス可能となっており、印刷データ出力部１１は、印刷データを出力する描画イメージ生成部を選択する際に、印刷データ管理テーブルＴ１にアクセスし、描画イメージ生成部は、描画イメージを出力する際に、描画イメージ管理テーブルＴ２にアクセスする。
【００２２】
即ち、この印刷データ管理テーブルＴ１および描画イメージ管理テーブルＴ２は、印刷データおよび描画イメージの出力をキューとして管理し、描画イメージ生成部による描画イメージの生成および印刷実行部１０１による印刷を有効に実行させる。
【００２３】
図２は、図１に示す印刷データ蓄積部１０に設けられる印刷データ管理テーブルの構成を示す概念図である。同図に示すように、印刷データ管理テーブルＴ１は、描画イメージの生成順序を格納する描画イメージ生成順序格納フィールドＦ１と、外部装置１００から送られてきた印刷データを格納する印刷データ格納フィールドＦ２と、印刷データ格納フィールドＦ２に格納された印刷データを処理する描画イメージ生成部を特定する情報を格納する描画イメージ生成部格納フィールドＦ３と、描画イメージ生成部格納フィールドＦ３に格納された情報によって特定される描画イメージ生成部の処理状態を格納する描画イメージ生成処理実行状態格納フィールドＦ４とを具備し、それぞれ同図に示すようなデータを格納したレコードを構成する。
【００２４】
描画イメージ生成順序格納フィールドＦ１には、先頭レコードから順にカウンタ式で生成順序が格納され、印刷データ格納フィールドＦ２には、外部装置１００から受信した順に先頭レコードから印刷データが格納される。
【００２５】
描画イメージ生成部格納フィールドＦ３には、描画イメージ生成部Ａ１３、描画イメージ生成部Ｂ１４、描画イメージ生成部Ｃ１５を識別する識別子が格納される。図２では、識別子として「Ａ」、「Ｂ」、「Ｃ」が使用される例を示している。
【００２６】
描画イメージ生成処理実行状態格納フィールドＦ４には、描画イメージ生成処理が終了したことを示す「生成完了」、現在描画イメージを生成中であることを示す「生成中」、処理が実行されていないことを示す「未生成」のいずれかが格納される。
【００２７】
例えば、図２に示す状態は、先頭レコードに最も優先して描画イメージの生成を実行する印刷データＡが格納され、この印刷データＡを処理するのは、図１に示す描画イメージ生成部Ａ１３であり、当該描画イメージ生成部Ａ１３は、印刷データＡの処理を完了している状態である。
【００２８】
図３は、図１に示す描画イメージ蓄積部１６に設けられる描画イメージ管理テーブルＴ２の構成を示す概念図である。同図に示すように、描画イメージ管理テーブルＴ２は、印刷実行部１０１による印刷順序を格納する印刷順序格納フィールドＦ１０と、描画イメージ生成部Ａ１３、描画イメージ生成部Ｂ１４および描画イメージ生成部Ｃ１５で生成された描画イメージを格納する描画イメージ格納フィールドＦ１１と、印刷実行部１０１の印刷実行状態を格納する印刷処理実行状態格納フィールドＦ１２とを具備し、同図に示すようなデータを格納したレコードを構成する。
【００２９】
印刷順序格納フィールドＦ１０には、先頭レコードから順にカウンタ式で生成順序が格納され、描画イメージ格納フィールドＦ１１には、描画イメージ生成部Ａ１３、描画イメージ生成部Ｂ１４および描画イメージ生成部Ｃ１５で生成された描画イメージが先頭レコードから生成順に格納される。
【００３０】
印刷処理実行状態格納フィールドＦ１２には、印刷実行部１０１による印刷が終了したことを示す「印刷終了」、現在印刷中であることを示す「印刷中」、印刷されていないことを示す「未処理」のいずれかが格納される。
【００３１】
例えば、図３に示す状態は、先頭レコードに最も優先して印刷処理を実行する描画イメージＡが格納されており、当該描画イメージＡは既に印刷されている状態である。
【００３２】
次に、上述したように構成される印刷制御装置の動作を図４および図５を使用して説明する。
【００３３】
図４は、図１に示す第１の実施形態に係る印刷制御装置が実行する印刷データ出力処理の実行手順を示すフローチャートである。同図に示す処理は、印刷データ蓄積部１０が印刷データを受信してから描画イメージ生成部に出力するまでの処理である。
【００３４】
まず、印刷データ蓄積部１０は、外部装置１００から印刷データを受信すると（ステップＳ１００でＹＥＳ）、印刷データ管理テーブルＴ１に新規レコードを生成し（ステップＳ１０１）、描画イメージ生成順序格納フィールドＦ１に連番を付して、当該生成したレコードの印刷データ格納フィールドＦ２に受信した印刷データを格納する（ステップＳ１０２）。その後、再びステップＳ１００に戻り印刷データの受信を待機する。
【００３５】
一方、印刷データ蓄積部１０による上記印刷データの受信処理と並行して、印刷データ出力部１１は、描画イメージ生成部Ａ１３、描画イメージ生成部Ｂ１４、描画イメージ生成部Ｃ１５のいずれかから実行可能通知があったかどうかを判断する（ステップＳ１１０）。この実行可能通知は、描画イメージ生成処理が終了した描画イメージ生成部が出力する信号であり、３つの描画イメージ生成部から同時に出力される場合もある。このように、実行可能通知が同時に出力されたときは、描画イメージ生成部Ａ１３を優先する。
【００３６】
上記判断の結果、いずれかの描画イメージ生成部から実行可能通知があった場合には（ステップＳ１１０でＹＥＳ）、印刷データ管理テーブルＴ１の描画イメージ生成部格納フィールドＦ３に当該描画イメージ生成部の識別子が格納されたレコードを抽出する（ステップＳ１１１）。
【００３７】
この抽出の結果該当するレコードがあった場合には（ステップＳ１１２でＹＥＳ）、当該抽出したレコードの描画イメージ生成処理実行状態格納フィールドＦ４に「生成中」が格納されているレコードの当該「生成中」を「生成完了」に変更する（ステップＳ１１２）。続いて、ステップＳ１１１で抽出したレコードの中から、描画イメージ生成処理実行状態格納フィールドＦ４に「未生成」が格納された先頭のレコードを検索し（ステップＳ１１４）、この検索したレコードに格納された印刷データを読み出す（ステップＳ１１５）。
【００３８】
一方、ステップＳ１１２で該当するレコードがなかった場合には、全レコードの中から「未生成」が格納された先頭のレコードを検索し（ステップＳ１１９）、当該検索の結果、得られたレコードに格納された印刷データを読み出す（ステップＳ１１５）。
【００３９】
そして、上記ステップで読み出した印刷データを描画イメージ生成部格納フィールドＦ３に格納された情報が示す描画イメージ生成部に出力し（ステップＳ１１６）、当該印刷データの出力先である描画イメージ生成部の識別子を当該印刷データと同一のレコードに格納する（ステップＳ１１７）。
【００４０】
その後、当該レコードの描画イメージ生成処理実行状態格納フィールドＦ４の値を「生成中」に変更し（ステップＳ１１８）、再びステップＳ１１０に戻って実行可能通知の受信を待機する。
【００４１】
上述した処理を図２を使用して説明すると、例えば、描画イメージ生成部Ａ１３から実行可能通知があった場合には、印刷データ出力部１１は、描画イメージ生成部格納フィールドＦ３に「Ａ」が、描画イメージ生成処理実行状態格納フィールドＦ４に「未生成」が格納された第５番目のレコードにアクセスし、印刷データＥを描画イメージ生成部Ａ１３に出力する。
【００４２】
図５は、図１に示す第１の実施形態に係る印刷制御装置が実行する描画イメージ出力処理の実行手順を示すフローチャートである。同図に示す処理は、描画イメージ蓄積部１６が描画イメージを受信してから印刷実行部１０１に出力するまでの処理である。
【００４３】
まず、描画イメージ蓄積部１６は、いずれかの描画イメージ生成部から描画イメージを受信すると（ステップＳ２００でＹＥＳ）、描画イメージ管理テーブルＴ２に新規レコードを生成し（ステップＳ２０１）、印刷順序格納フィールドＦ１０に連番を付して、当該生成したレコードの描画イメージ格納フィールドＦ１１に受信した描画イメージを格納する（ステップＳ２０２）。その後、再びステップＳ２００に戻り描画イメージの受信を待機する。
【００４４】
一方、上記描画イメージの受信処理と並行して、描画イメージ出力部１７は、印刷実行部１０１から印刷可能通知があったかどうかを判断する（ステップＳ２１０）。この実行可能通知は、印刷実行部１０１が印刷処理を終了したときに出力する信号である。
【００４５】
上記判断の結果、印刷実行部１０１から印刷可能通知があった場合には（ステップＳ２１０でＹＥＳ）、描画イメージ管理テーブルＴ２の印刷処理実行状態格納フィールドＦ１２に「処理中」が格納されたレコードの当該「処理中」を「印刷終了」に変更する（ステップＳ２１１）。
【００４６】
その後、印刷処理実行状態格納フィールドＦ１２に「未処理」が格納された先頭レコードを検索し（ステップＳ２１２）、当該検索したレコードの描画イメージ格納フィールドＦ１１に格納された描画イメージを読み出す（ステップＳ２１３）。
【００４７】
そして、上記読み出した描画イメージを印刷実行部１０１に出力し（ステップＳ２１４）、印刷処理実行状態格納フィールドＦ１２の値を「印刷中」に変更する（ステップＳ２１５）。その後、再びステップＳ２１０に戻り、印刷可能通知の受信待機となる。
【００４８】
上述した処理を図３を使用して説明すると、描画イメージ出力部１７は、同図に示す３番目のレコードの「印刷中」を「印刷終了」に変更し、４番目のレコードに格納された描画イメージＤを印刷実行部１０１に出力し、「未処理」を「処理中」に変更して再び印刷可能通知を待機する。
【００４９】
このように、本発明の第１の実施形態によれば、処理待ちの印刷データを実行可能な描画イメージ生成部に優先して出力させることができるため、描画イメージの生成処理を効率良く実行させることができる。
【００５０】
次に、本発明の第２の実施形態について説明する。
【００５１】
図６は、本発明の第２の実施形態に係る印刷制御装置２の構成を示すブロック図である。同図に示す第２の実施形態に係る印刷制御装置２は、図１に示す第１の実施形態に係る印刷制御装置１の構成に加え、印刷実行部１０１によって印刷された用紙の排出先を印刷データ蓄積部１０に蓄積された印刷データから特定する用紙排出先特定部２０が設けられる。
【００５２】
ここで、印刷実行部１０１によって印刷された用紙の排出先とは、例えば、複写機に設けられているような複数のトレイや、ネットワーク上に接続されたネットワークプリンタ等が該当する。
【００５３】
図６には、印刷された用紙の排出先として、用紙排出先Ａ２００と、用紙排出先Ｂ２０１と、用紙排出先Ｃ２０２の３つの排出先が設けられており、これらの排出先の指定は外部装置１００にて実行される。尚、用紙排出先がトレイである場合には、排出先の指定は、印刷実行部１０１が用紙サイズに基づいて自動的に実行する。
【００５４】
この第２の実施形態に係る印刷制御装置２は、描画イメージ生成処理の速度が描画イメージ生成部ごとに異なった場合であっても、排出された用紙の順序が狂わないように配慮されたものである。
【００５５】
図７は、図６に示す印刷データ蓄積部１０に設けられた印刷データ管理テーブルＴ１の構成を示す概念図である。同図に示す印刷データ管理テーブルＴ１には、図２に示す印刷データ管理テーブルＴ１の構成に加え、用紙排出先を格納する用紙排出先格納フィールドＦ５が設けられる。例えば、印刷データＡが格納されているレコードの用紙排出先格納フィールドＦ５には、「Ａ」が格納されているため、印刷データＡが印刷される際には、用紙排出先Ａ２００に排出される。
【００５６】
図８は、図６に示す描画イメージ蓄積部１６に設けられた描画イメージ管理テーブルＴ２の構成を示す概念図である。同図に示す描画イメージ管理テーブルＴ２においても、上記印刷データ管理テーブルＴ１と同様に、用紙排出先格納フィールドＦ５が設けられる。
【００５７】
上記のように構成される印刷制御装置の動作を図９を使用して説明する。
【００５８】
図９は、本発明の第２の実施形態に係る印刷制御装置２が実行する印刷データ出力処理の実行手順を示すフローチャートである。同図に示す印刷データ出力処理では、図４に示す印刷データ蓄積部１０が実行する処理のステップＳ１０２の後に、ステップＳ３００の処理が実行される。このステップＳ３００の処理は、印刷データ蓄積部１０が用紙排出先特定部２０に受信した印刷データを出力する処理である。
【００５９】
図１０は、図６に示す用紙排出先特定部２０が実行する用紙排出先特定処理の実行手順を示すフローチャートである。同図に示す処理は、同一の用紙排出先の印刷データを処理している描画イメージ生成部に印刷データの処理を予約する処理である。
【００６０】
まず、用紙排出先特定部２０は、印刷データ蓄積部１０から印刷データを受信すると（ステップＳ３１０でＹＥＳ）、当該印刷データに含まれる用紙排出先を抽出する（ステップＳ３１１）。そして、印刷データ管理テーブルＴ１の中から、用紙排出先が同一のレコードを検索する（ステップＳ３１２）。
【００６１】
上記検索の結果、該当するレコードがあった場合には（ステップＳ３１３でＹＥＳ）、当該レコードの描画イメージ格納フィールドＦ１１に格納された識別子を取得し（ステップＳ３１４）、この取得した識別子をステップＳ３１０で受信した印刷データと同一のレコードに格納する（ステップＳ３１５）。さらに、ステップＳ３１１で抽出した用紙排出先を当該レコードに格納する（ステップＳ３１６）。
【００６２】
一方、ステップＳ３１３で該当するレコードがなかった場合には、ステップＳ３１０で受信した印刷データと同一のレコードにステップＳ３１１で抽出した用紙排出先を格納する（ステップＳ３１６）。
【００６３】
次に、以上説明したような本発明に係る印刷制御装置の構築例を図１１を使用して説明する。
【００６４】
図１１は、図１に示す印刷制御装置を構成する場合の構築例を示すブロック図である。同図に示す印刷制御装置は、外部装置１００となるコンピュータ３００やＣＡＤ３０１との接続機能を実現する入力インターフェース３０２と、印刷データ蓄積部１０および描画イメージ蓄積部１６として機能するハードディスク３０７と、印刷データ出力部１１として機能するマスタープロセッサ３０３と、描画イメージ生成部Ａ１３として機能する第１スレーブプロセッサ３０４と、描画イメージ生成部Ｂ１４として機能する第２スレーブプロセッサ３０５と、描画イメージ生成部Ｃ１５として機能する第３スレーブプロセッサ３０６と、当該各プロセッサの作業領域を提供するＲＡＭ３０８と、図４および図５に示す処理をプログラムとして格納するＲＯＭ３０９と、描画イメージ出力部１７として機能する出力インターフェース３１０とがシステムバスまたはネットワーク上で接続されて構成され、コンピュータ３００、ＣＡＤ３０１および印刷実行部１０１として機能するプリンタ３１１に接続される。
【００６５】
尚、上記実施形態では、印刷データから描画イメージを生成する構成としたが、当該印刷データを印刷制御装置内で使用される制御コードに変換し、当該制御コードから描画イメージを生成するように構成してもよい。
【００６６】
【発明の効果】
以上説明したように、本発明によれば、複数プロセッサによる描画処理の効率化を図った印刷制御装置を提供することができる。
【００６７】
また、本発明の第１の実施形態によれば、処理待ちの印刷データを実行可能な描画イメージ生成部に優先して出力させることができるため、描画イメージの生成処理を効率良く実行させることができる。
【図面の簡単な説明】
【図１】本発明の第１の実施形態に係る印刷制御装置の構成を示すブロック図。
【図２】図１に示す印刷データ蓄積部１０に設けられる印刷データ管理テーブルの構成を示す概念図。
【図３】図１に示す描画イメージ蓄積部１６に設けられる描画イメージ管理テーブルＴ２の構成を示す概念図。
【図４】図１に示す第１の実施形態に係る印刷制御装置が実行する印刷データ出力処理の実行手順を示すフローチャート。
【図５】図１に示す第１の実施形態に係る印刷制御装置が実行する描画イメージ出力処理の実行手順を示すフローチャート。
【図６】本発明の第２の実施形態に係る印刷制御装置２の構成を示すブロック図。
【図７】図６に示す印刷データ蓄積部１０に設けられた印刷データ管理テーブルＴ１の構成を示す概念図。
【図８】図６に示す描画イメージ蓄積部１６に設けられた描画イメージ管理テーブルＴ２の構成を示す概念図。
【図９】本発明の第２の実施形態に係る印刷制御装置２が実行する印刷データ出力処理の実行手順を示すフローチャート。
【図１０】図６に示す用紙排出先特定部２０が実行する用紙排出先特定処理の実行手順を示すフローチャート。
【図１１】図１に示す印刷制御装置を構成する場合の構築例を示すブロック図。
【符号の説明】
１…第１の実施形態に係る印刷制御装置、２…第２の実施形態に係る印刷制御装置、１０…印刷データ蓄積部、１１…印刷データ出力部、１３…描画イメージ生成部Ａ、１４…描画イメージ生成部Ｂ、１５…描画イメージ生成部Ｃ、１６…描画イメージ蓄積部、１７…描画イメージ出力部、２０…用紙排出先特定部、１００…外部装置、１０１…印刷実行部、２００…用紙排出先Ａ、２０１…用紙排出先Ｂ、２０２…用紙排出先Ｃ、３００…コンピュータ、３０１…ＣＡＤ、３０２…入力インターフェース、３０３…マスタープロセッサ、３０４…第１スレーブプロセッサ、３０５…第２スレーブプロセッサ、３０６…第３スレーブプロセッサ、３０７…ハードディスク、３０８…ＲＡＭ、３０９…ＲＯＭ、３１０…出力インターフェース、３１１…プリンタ、Ｆ１…描画イメージ生成順序格納フィールド、Ｆ２…印刷データ格納フィールド、Ｆ３…描画イメージ生成部格納フィールド、Ｆ４…描画イメージ生成処理実行状態格納フィールド、Ｆ５…用紙排出先格納フィールド、Ｆ１０…印刷順序格納フィールド、Ｆ１１…描画イメージ格納フィールド、Ｆ１２…印刷処理実行状態格納フィールド、Ｔ１…印刷データ管理テーブル、Ｔ２…描画イメージ管理テーブル。
【図１】
0003700367.tif 000002
【図２】
0003700367.tif 000003
【図３】
0003700367.tif 000004
【図４】
0003700367.tif 000005
【図５】
0003700367.tif 000006
【図６】
0003700367.tif 000007
【図７】
0003700367.tif 000008
【図８】
0003700367.tif 000009
【図９】
0003700367.tif 000010
【図１０】
0003700367.tif 000011
【図１１】
0003700367.tif 000012